(57)【要約】【課題】印刷用紙が排出される前に用紙上の印刷確認ができ、印刷し直しの場合には無駄ページを極力減らすことができる電子写真式印刷装置を提供する。【解決手段】感光体８上に形成された現像像を用紙背面から高圧電圧を印加して用紙２上に転写する転写部１０と、転写後に前記用紙２上に現像像を熱定着させる定着部１７とを備えた電子写真式印刷装置において、前記転写部１０と前記定着部１７の間に筐体外部から用紙２上の印刷状態が確認できる窓２２を設けるとともに、前記用紙２面を照らす照明装置２５を設けたことを特徴とする。【選択図】  図２
2008292792.tif 000002
【特許請求の範囲】
【請求項１】
感光体上に形成された現像像を用紙背面から高圧電圧を印加して用紙上に転写する転写部と、転写後に前記用紙上に現像像を熱定着させる定着部とを備えた電子写真式印刷装置において、
前記転写部と前記定着部の間に筐体外部から用紙上の印刷状態が確認できる窓を設けるとともに、前記用紙面を照らす照明装置を設けたことを特徴とする電子写真式印刷装置。
【請求項２】
前記照明装置は、オペレータが点灯・消灯スイッチを押下することにより、印刷確認時に点灯及び印刷確認終了後に消灯できることを特徴とする請求項１記載の電子写真式印刷装置。
【請求項３】
前記照明装置は、オペレータが点灯・消灯スイッチを押下することにより点灯し、その後所定時間経過すると自動的に消灯できる構成になっていることを特徴とする請求項２記載の電子写真式印刷装置。
【請求項４】
前記照明装置は、用紙搬送動作を停止した時に自動的に点灯し、所定時間経過後に自動的に消灯できる構成になっていることを特徴とする請求項１記載の電子写真式印刷装置。
【発明の詳細な説明】
【技術分野】
【０００１】
本発明は、電子写真式印刷装置に係り、特にそれの印刷確認機構に関するものである。
【背景技術】
【０００２】
電子写真式印刷装置の印刷動作について図１を参照しながら説明する。高圧電源１５により高圧電圧を印加されたチャージャコロトロン１４は、モータ９により回転動作している感光体ドラム８上を帯電する。その後、ＣＰＵ２１がドライバ１３によりレーザダイオード１２を制御し感光体ドラム８上に潜像を形成し、現像ローラ５からのトナー７をその潜像に静電付着させる。
【０００３】
一方、トラクタ３に掛けられた折りミシン目付き連続紙２は用紙サイズを認識しながら、モータ４を回転動作させて、感光ドラム８、転写コロトロン１０、定着ローラ１７へと紙送りされる。その紙送りの途中において、高圧電源１１により高圧電圧が印加された転写コロトロン１０により、前記トナー７が折りミシン目付き連続紙２上に転写される。
【０００４】
装填されている折りミシン目付き連続紙２に適した定着設定温度になるように、温度センサ２０で定着ローラ１７の温度を検知しながらヒータランプ１６をドライバ１９で点灯制御及び消灯制御される定着ローラ１７により、前記連続紙２上に転写されたトナー７の印刷像が熱定着されて、機外へ排出される。排出された用紙の印刷結果をオペレータが意図した通りに印刷されているかを確認する。
【０００５】
図５は、従来技術による電子写真式印刷装置の印刷確認機構を説明するための図である。図中の２３は照明装置用パネルスイッチ、２５は照明装置、２６はスタッカテーブル、２７はオペレータ、２８はスタッカテーブル昇降用パネルスイッチである。
【０００６】
従来の印刷確認機構は、定着ローラ１７の下方にスタッカテーブル２６が設けられ、そのスタッカテーブル２６上に排出された記録紙２を照らす照明装置２５と、その照明装置２５の動作を制御する照明装置用パネルスイッチ２３が備えられていた。
【０００７】
この種電子写真式印刷装置の印刷確認機構に関しては、例えば下記のような特許文献を挙げることができる。
【０００８】
【特許文献１】特開平１−２９４１５５号公報
【発明の開示】
【発明が解決しようとする課題】
【０００９】
従来の技術によると、排出部の近くに実装された照明により確認することになるため、用紙の排出後でなければ印刷用紙に印刷された結果を確認することが出来ない。
【００１０】
本発明の目的は、印刷された用紙が排出された後ではなく、用紙排出前にオペレータが印刷位置などを確認できるようにし、かつ、装置内でも鮮明に用紙上の印刷確認ができ、印刷し直しの場合に無駄ページを極力減らすことが出来る電子写真式印刷装置の印刷確認機構を提供することにある。
【課題を解決するための手段】
【００１１】
上記の目的を達成させるため本発明は、感光体上に形成された現像像を用紙背面から高圧電圧を印加して用紙上に転写する転写部と、転写後に前記用紙上に現像像を熱定着させる定着部とを備えた電子写真式印刷装置において、前記転写部と前記定着部の間に筐体外部から用紙上の印刷状態が確認できる窓を設けるとともに、前記用紙面を照らす照明装置を設けたことを特徴とするものである。
【発明の効果】
【００１２】
以上に説明したように本発明によれば、印刷用紙が排出される前に用紙上の印刷確認ができ、印刷し直しの場合には無駄ページを極力減らすことができる電子写真式印刷装置の印刷確認機構を提供することができる。
【発明を実施するための最良の形態】
【００１３】
以下、本発明の実施例を図１、図２を用いて説明する。
【００１４】
高圧電源１５により高圧電圧を印加されたチャージャコロトロン１４は、モータ９により回転動作している感光体ドラム８上を帯電する。その後、ＣＰＵ２１がドライバ１３によりレーザダイオード１２を制御して感光体ドラム８上に潜像を形成し、現像ローラ５からのトナー７をその潜像に静電付着させる。
【００１５】
一方、トラクタ３に掛けられた折りミシン目付き連続紙２は用紙サイズを認識しながら、モータ４を回転動作させて、感光ドラム８、転写コロトロン１０、定着ローラ１７へと紙送りされる。その紙送りの途中において、高圧電源１１により高圧電圧が印加された転写コロトロン１０により、前記トナー７が折りミシン目付き連続紙２上に転写される。
【００１６】
そして転写されたトナー７の印刷像が、装填されている折りミシン目付き連続紙２に適した定着設定温度になるように、温度センサ２０で定着ローラ１７の温度を検知しながらヒータランプ１６をドライバ１９で点灯制御及び消灯制御される定着ローラ１７で熱定着される前に、印刷紙送り動作を止め、転写点−熱定着位置間に実装されている印刷確認用覗き窓２２からオペレータ２７が覗くことにより、転写後の折りミシン目付き連続紙２上の印刷像の形状、印刷位置を確認することが可能となる。
【００１７】
その結果、テスト印刷ページは最小限にでき、印刷に不具合があった場合、無駄ページも最小限にすることが可能となる。その上、印刷面上の照度が十分に外部の光から得られないような場合、オペレータ２７は照明装置用パネルスイッチ２３を押下することにより印刷装置に実装されている照明装置２５を点灯し、転写後の折りミシン目付き連続紙２上の印刷像の形状、印刷位置を十分に確認することが可能となる。
【００１８】
図３は、他の実施例を示す制御上のフローチャートである。印刷状態、印刷位置確認のためにテスト印刷の停止後、ＣＰＵ２１は印刷確認のための照明装置用パネルスイッチ２３の押下状況を確認し、点灯のために押下されていることを認識した場合、照明用ドライバ２４をオンにセットし、照明を点灯させる。
【００１９】
同時にＣＰＵ２１はタイマー２９をセットする。タイマー２９がカウントアップすると照明用ドライバ２４をオフにセットし、照明装置２５を消灯させる。これにより、オペレータ２７は、照明装置用パネルスイッチ２３を消灯のために押下しなくとも自動的に消灯できるので、消灯忘れを防止することが可能となる。尚、タイマー２９の設定時間Ｔはオペレータ２７が印刷停止後、印刷状態、印刷位置確認ができる時間である。
【００２０】
図４は、さらに他の実施例を示す制御上のフローチャートである。印刷状態、印刷位置確認のためにテスト印刷の停止後、ＣＰＵ２１は照明用ドライバ２４をオンにセットし、照明を点灯させる。同時にＣＰＵ２１はタイマー２９をセットする。タイマー２９がカウントアップすると照明用ドライバ２４をオフにセットし、照明装置２５を消灯させる。これにより、オペレータ２７は、照明装置用パネルスイッチ２３を押下して点灯、または消灯させることをせず、印刷停止後、自動的に点灯、消灯できるので、スイッチ押下の手間が省ける。また、照明装置用パネルスイッチ２３を削除することも可能となる。尚、タイマー２９の設定時間Ｔはオペレータ２７が印刷停止後、印刷状態、印刷位置確認ができる時間である。
【産業上の利用可能性】
【００２１】
レーザビームプリンタや複写機などの電子写真方式印刷装置において、用紙上に印刷された位置を確認するのに有効である。
【図面の簡単な説明】
【００２２】
【図１】本発明の実施例を説明するための概略説明図である。
【図２】本発明の実施例に係る操作イメージを示した図である。
【図３】本発明の他の実施例を説明するためのフローチャートである。
【図４】本発明のさらに他の実施例を説明するためのフローチャートである。
【図５】従来技術を示す説明図である。
【符号の説明】
【００２３】
１は電子写真式印刷装置、２は折りミシン目付き連続紙、３はトラクタ、４はモータ、５は現像ローラ、６はモータ、７はトナー、８は感光ドラム、９はモータ、１０は転写コロトロン、１１は高圧電源、１２はレーザダイオード、１３はドライバ、１４は帯電器、１５は高圧電源、１６はヒータランプ、１７は定着ローラ、１８はモータ、１９はドライバ、２０は温度センサ、２１はＣＰＵ、２２は印刷確認用覗き窓、２３は照明装置用パネルスイッチ、２４はドライバ、２５は照明装置、２６はスタッカテーブル、２７はオペレータ、２８はスタッカテーブル昇降用パネルスイッチ、２９はタイマー、Ｔはタイマーの設定時間である。
【図１】
2008292792.tif 000003
【図２】
2008292792.tif 000004
【図３】
2008292792.tif 000005
【図４】
2008292792.tif 000006
【図５】
2008292792.tif 000007